(57)【要約】  無線通信端末は、メモリと、無線インタフェースを介して他の通信端末と通信するように構成された無線通信モジュールと、デジタル情報信号をメモリの中に格納し、無線通信端末のユーザから配信コマンドを受信するように構成されたコントローラとを含む。コントローラは、配信コマンドの受信に応答して、無線通信モジュールを介して、遠隔地に配置されている他の通信端末へ共有通知信号を送信し、この他の通信端末からのアクセス要求の受信に応答して、デジタル情報信号を他の通信端末へ送信するようにさらに構成される。方法の実施形態もまた開示される。
2009505539.tif 000002
【特許請求の範囲】
【請求項１】
無線通信端末であって、
メモリと、
無線インタフェースを介して他の通信端末と通信するように構成された無線通信モジュールと、
デジタル情報信号を前記メモリに格納し、前記無線通信端末のユーザから配信コマンドを受信し、前記配信コマンドの受信に応答して、遠隔地に配置されている他の通信端末へ前記無線通信モジュールを介して共有通知信号を送信し、前記他の通信端末からのアクセス要求の受信に応答して、前記デジタル情報信号を前記他の通信端末へ送信するように構成されたコントローラと、
を備えることを特徴とする無線通信端末。
【請求項２】
前記通信端末は、デジタル画像及び／又はデジタルビデオストリームを生成するように構成されたデジタルカメラをさらに備え、
前記コントローラは、生成された前記デジタル画像及び／又はデジタルビデオストリームを前記デジタル情報信号として前記メモリの中に格納することを特徴とする請求項１に記載の無線通信端末。
【請求項３】
前記コントローラは、他の通信端末のアドレスのデータベースをさらに備え、複数のアドレスは所定の配信コマンドに対応しており、
前記コントローラは、前記所定の配信コマンドに対応する配信コマンドに応答して共有通知信号を前記複数のアドレスへ送信するように構成されることを特徴とする請求項１または２に記載の無線通信端末。
【請求項４】
前記アクセス要求は、前記他の通信端末によって要求されたフォーマットを示し、
前記コントローラは、要求されたフォーマットを示す前記アクセス要求に応答して、前記デジタル情報信号をフォーマットするようにさらに構成されることを特徴とする請求項１乃至３の何れか一項に記載の無線通信端末。
【請求項５】
メニュー選択に応答して前記配信コマンドを生成するように構成されたユーザインタフェースをさらに備えることを特徴とする請求項４に記載の無線通信端末。
【請求項６】
キー操作に応答して前記配信コマンドを生成するように構成されたキーをさらに備えることを特徴とする請求項４に記載の無線通信端末。
【請求項７】
前記コントローラは、切捨バージョン及び／又は縮小バージョンのデジタル情報信号を生成し、前記切捨バージョン及び／又は縮小バージョンのデジタル情報信号を前記共有通知信号と共に前記他の無線通信端末へ送信するようにさらに構成されることを特徴とする請求項１乃至６の何れか一項に記載の無線通信端末。
【請求項８】
前記アクセス要求は、信号要件を示し、
前記コントローラは、要求された信号要件を示す前記アクセス要求に応答して前記デジタル情報信号を処理するようにさらに構成されることを特徴とする請求項１乃至７の何れか一項に記載の無線通信端末。
【請求項９】
指定された要件は、信号サイズ要件、解像度要件、信号品質要件及び／又は符号化要件を示すことを特徴とする請求項８に記載の無線通信端末。
【請求項１０】
第１および第２の無線通信端末を含む無線通信ネットワークにおいてデジタル情報を共有する方法であって、
前記第１の無線通信端末の中にデジタル情報信号を格納するステップと、
通知信号を前記第１の無線通信端末から前記第２の無線通信端末へ送信するステップであって、前記通知信号は前記デジタル情報信号の利用可能性を示す、ステップと、
前記第２の無線通信端末からの要求信号を前記第１の無線通信端末において受信するステップと、
前記要求信号に応答して、前記第１の無線通信端末から前記第２の無線通信端末へ前記デジタル情報信号を送信するステップと、
を備えることを特徴とする方法。
【請求項１１】
前記通知信号は、切捨バージョン及び／又は縮小バージョンのデジタル情報信号を含み、
前記方法は、前記切捨バージョン及び／又は縮小バージョンのデジタル情報信号の表示／再生を前記第２の無線端末において行うステップをさらに含むことを特徴とする請求項１０に記載の方法。
【請求項１２】
前記通知信号は、前記デジタル情報信号をフォーマットするためのオプションを備えることを特徴とする請求項１０または１１に記載の方法。
【請求項１３】
前記オプションは、サイズ、信号品質、解像度、圧縮及び／又は符号化を備えることを特徴とする請求項１２に記載の方法。
【請求項１４】
前記要求信号は、前記デジタル情報信号をフォーマットするためのオプション選択を備えることを特徴とする請求項１０乃至１３の何れか一項に記載の方法。
【請求項１５】
前記要求信号で指定される選択されたフォーマットオプションに従って、前記第１の無線通信端末において前記デジタル情報信号を処理するステップをさらに含み、
前記デジタル情報信号を前記第２の無線通信端末へ送信する前記ステップは、処理された前記デジタル情報信号を前記第２の無線通信端末へ送信するステップを備えることを特徴とする請求項１４に記載の方法。
【請求項１６】
第１および第２の無線通信端末と仲介手段とを含む無線通信ネットワークにおいてデジタル情報を共有する方法であって、
前記第１の無線通信端末からの第１の通知信号を前記仲介手段において受信するステップであって、前記第１の通知信号は前記デジタル情報信号の利用可能性を示し前記第２の無線通信端末のアドレスを含む、ステップと、
前記第１の無線通信端末からの前記第１の通知信号に応答して、前記デジタル情報信号の利用可能性を示す第２の通知信号を前記仲介手段から前記第２の無線通信端末へ送信するステップと、
前記第２の無線通信端末から第１の要求信号を前記仲介手段において受信するステップと、
前記第１の要求信号の受信に応答して、前記デジタル情報信号の送信を前記第１の無線通信端末に要求する第２の要求信号を前記仲介手段から前記第１の無線通信端末へ送信するステップと、
を備えることを特徴とする方法。
【請求項１７】
前記第１の通知信号は、切捨バージョン及び／又は縮小バージョンのデジタル情報信号を含み、
前記方法は、前記切捨バージョン及び／又は縮小バージョンのデジタル情報信号の表示／再生を前記第２の無線端末において行うステップをさらに備えることを特徴とする請求項１６に記載の方法。
【請求項１８】
前記第１の通知信号は、前記デジタル情報信号をフォーマットするためのオプションを含むことを特徴とする請求項１６または１７に記載の方法。
【請求項１９】
前記第２の通知信号は、前記デジタル情報信号をフォーマットするためのオプションを含むことを特徴とする請求項１６乃至１８の何れか一項に記載の方法。
【請求項２０】
前記第１の要求信号は、前記デジタル情報信号をフォーマットするための選択されたオプションを含むことを特徴とする請求項１６乃至１９の何れか一項に記載の方法。
【請求項２１】
前記第１の無線通信端末から前記デジタル情報信号を前記仲介手段において受信するステップと、
前記仲介手段から前記第２の無線通信端末へ前記デジタル情報信号を送信するステップと、
をさらに備えることを特徴とする請求項１６乃至２０の何れか一項に記載の方法。
【請求項２２】
前記第１の要求信号で指定される選択されたフォーマットオプションに従って、前記仲介手段において前記デジタル情報信号を処理するステップをさらに備え、
前記デジタル情報信号を前記第２の無線通信端末へ送信する前記ステップは、前記仲介手段から前記第２の無線通信端末へフォーマットされた前記デジタル情報信号を送信するステップを含むことを特徴とする請求項２１に記載の方法。
【発明の詳細な説明】
【技術分野】
【０００１】
本発明は一般に通信の分野に関し、特に、無線電話機を用いてデジタル情報を配信するための装置および方法に関する。
【背景技術】
【０００２】
無線通信端末は、ますます多くの機能を含むまでに進化してきた。例えば、無線通信端末によっては、様々な種類のデジタルデータ信号の生成、取得、格納、処理、表示及び／又は再生ができるものもある。このようなデジタルデータ信号は、例えば、音声、音楽あるいは他の音声信号のような音声信号、静止画像信号及び／又はビデオデータ信号を含むものであってもよい（このビデオデータ信号は付随するデジタル音声信号を含んでいてもよいし、含んでいなくてもよい）。このようなデータ信号の格納、表示及び／又は再生の他に、適切に構成された通信端末のユーザは、このようなデジタルデータ信号を他のユーザと共有することを望む場合もある。したがって、システムオペレータは無線電子メール及びＭＭＳのようなサービスを実現して、無線端末に格納されているデジタルデータをユーザが共有できるようにしている。
【０００３】
無線端末を用いてデジタルデータの共有を行う従来のシステムでは、第１の無線通信端末のユーザ（「発信側ユーザ」）は例えば、デジタル化済みの静止画像などのデジタルデータ信号の格納を行う。次いで、ユーザは、このデジタル化済みの静止画像を遠隔地の第２の無線通信端末（「受信側ユーザ」）へ送信したり、（例えば、第１の無線通信端末に格納された配信リストに一覧されている無線通信端末ような）遠隔地の第２の無線通信端末のグループへ送信したりすることができる。この第２の無線通信端末は、第１の無線通信端末からデータ信号を受信し、受信側ユーザからのコマンドに基づいてこのデータ信号を再生及び／又は表示することができる。このようなシステムは、一般に「プッシュ型」システムと呼ばれている。なぜなら、これらのシステムは、第２のユーザがデータ信号の受信を望んでいるという第１のユーザによる仮説に基づいて、第１のユーザが遠隔地のユーザへデータ信号を「プッシュする」ことに依拠するシステムであるからである。
【０００４】
他の公知のシステムによれば、発信側ユーザは、デジタル静止画像のようなデジタルデータ信号を遠隔地のデータベースへ投函し、このデータベースからの検索用としてこのデジタルデータ信号が利用可能であることを受信側ユーザに通知する通知信号を発信側ユーザが受信側ユーザへ送信することができる。次いで、受信側ユーザは遠隔地のデータベースにアクセスし、デジタルデータ信号をダウンロードすることことができる。このようなシステムは一般に「ポスト型」システムと呼ぶことができる。というのは、デジタルデータ信号が遠隔地のデータベースへ投函され、次いで、受信側ユーザによって受信されるからである。
【発明の開示】
【発明が解決しようとする課題】
【０００５】
しかしながら、上述のような従来のシステムにはいくつかの欠点がある。例えば、プッシュ型システムでは、受信側ユーザが受け取ることを望む種別のタイプの情報に関して、及び／又は、このような情報のフォーマットに関して発信側ユーザは仮説をたてるように要求される場合がある。実際問題として、デジタルメッセージの送信に要する時間及び／又は帯域に基づいて、あるいは、メッセージ毎のベースに基づいてユーザ宛に請求書が送られる通信システムでは、発信側ユーザは、そのような事前の情報がない限り、遠隔地のユーザへのデジタルデータ信号の送信に関連するコスト負担について思いとどまらざるを得ない場合がある。
【０００６】
さらに、ポスト型システムはデジタルデータ信号を遠隔地において格納することを必要とする場合があり、このことは、特に、大きなデータ信号についてはコストが高くつくことが考えられる。さらに、セキュリティ上の目的のために、このようなシステムは、管理プロトコルの特別の層（例えば、ユーザ名及びパスワードのサインオン）を必要とする場合があり、これらの管理プロトコルは、格納済み情報信号の検索プロセスをさらに時間のかかるものにし、受信側ユーザにとって不便なものにし、そのため、受信側ユーザがデジタルデータ信号を検索するためにのような無線通信システムを利用する蓋然性を低くすることも考えられる。したがって、デジタル情報を共有するための無線通信インタフェースの効率的利用は引き続き挑戦すべき課題となっている。
【課題を解決するための手段】
【０００７】
本発明の実施形態のいくつかは無線通信端末を提供し、この無線通信端末には、メモリと、無線インタフェースを介して他の複数の通信端末と通信するように構成された無線通信モジュールと、デジタル情報信号をメモリに格納し、無線通信端末のユーザから配信コマンドを受信し、そして、この配信コマンドの受信に応答して、遠隔地に配置されている他の通信端末へ無線通信モジュールを介して共有通知信号を送信し、さらに、他の通信端末からのアクセス要求の受信に応答して、デジタル情報信号を他の通信端末へ送信するように構成されたコントローラとが含まれる。
【０００８】
実施形態によっては、通信端末は、デジタル画像及び／又はデジタルビデオストリームを生成するように構成されたデジタルカメラをさらに含むことができるものもある。そしてコントローラは、生成されたデジタル画像及び／又はデジタルビデオストリームをデジタル情報信号としてメモリの中に格納するように構成することができる。
【０００９】
実施形態によっては、コントローラは、他の通信端末のアドレスであって、複数のアドレスが所定の配信コマンドに対応するようになっているアドレスのデータベースをさらに含むものであってもよい。さらに、このコントローラは所定の配信コマンドに対応する配信コマンドに応答して共有通知信号を複数のアドレスへ送信するように構成することができる。通信端末は、メニュー選択及び／又はキー操作に応答して配信コマンドを生成するように構成されたユーザインタフェースを含むことができる。
【００１０】
本発明のさらに他の実施形態によれば、他の通信端末によって要求されるアクセス要求はフォーマット及び／又は信号要件を示すものであってもよい。そして、コントローラは、要求されたフォーマット及び／又は信号要件を示すアクセス要求に応答してデジタル情報信号をフォーマットするようにさらに構成することができる。この指定要件は、信号サイズ要件、解像度要件、信号品質要件、符号化要件及び／又はその他の要件であってもよい。
【００１１】
さらに、コントローラは、切捨バージョン及び／又は縮小バージョン（truncated and/or reduced version）のデジタル情報信号を生成し、この切捨バージョン及び／又は縮小バージョンのデジタル情報信号を共有通知信号と共に送信するようにさらに構成されたものであってもよい。
【００１２】
本発明のいくつかの実施形態に準拠する方法は、第１の無線通信端末のメモリの中にデジタル情報信号を格納するステップと、デジタル情報信号の利用可能性を示す通知信号を第１の無線通信端末から第２の無線通信端末へ送信するステップと、第２の無線通信端末からの要求信号を第１の無線通信端末において受信するステップと、要求信号に応答して、第１の無線通信端末から第２の無線通信端末へデジタル情報信号を送信するステップとを含むものとなる。
【００１３】
実施形態によっては、通知信号は、切捨バージョン及び／又は縮小バージョンのデジタル情報信号を含むようにしてもよい。さらに、本方法は、切捨バージョン及び／又は縮小バージョンのデジタル情報信号の表示／再生を第２の無線端末において行うステップさらに含むようにしてもよい。
【００１４】
実施形態によっては、通知信号は第１の無線通信端末においてデジタル情報信号をフォーマットするオプションを含むようにしてもよい。このフォーマットオプションは、信号サイズ、信号品質、解像度、圧縮、符号化及び／又はその他のオプションを含むものであってもよい。
【００１５】
本発明に準拠するさらに他の方法は、要求信号で指定されるフォーマットオプションに従ってデジタル情報信号を処理するステップを含むことができる。さらに、デジタル情報信号を第２の無線通信端末へ送信するステップは処理済みのデジタル情報信号を第２の無線通信端末へ送信するステップを含むものであってもよい。
【００１６】
本発明のさらに他の実施形態に準拠する方法は、第１の無線通信端末からの第１の通知信号であって、デジタル情報信号の利用可能性を示し、かつ、第２の無線通信端末のアドレスを含む第１の通知信号を仲介手段（intermediary）において受信するステップと、第１の無線通信端末からの第１の通知信号に応答して、デジタル情報信号の利用可能性を示す第２の通知信号を仲介手段から第２の無線通信端末へ送信するステップと、第２の無線通信端末から第１の要求信号を仲介手段において受信するステップと、第１の要求信号に応答して、デジタル情報信号の送信を第１の無線通信端末に要求する第２の要求信号を仲介手段から第１の無線通信端末へ送信するステップと、が含まれる。
【００１７】
実施形態によっては、第１の通知信号は、切捨バージョン及び／又は縮小バージョンのデジタル情報信号を含むようにしてもよい。さらに、本方法は、切捨バージョン及び／又は縮小バージョンのデジタル情報信号の表示／再生を第２の無線端末において行うステップをさらに含むようにしてもよい。第１の通知信号はデジタル情報信号をフォーマットするためのオプションをさらに含むものであってもよい。
【００１８】
実施形態によっては、第２の通知信号はデジタル情報信号をフォーマットするためのオプションを含むようにしてもよい。
【００１９】
本発明に準拠する方法は、仲介手段において第１の無線通信端末からデジタル情報信号を受信し、仲介手段から第２の無線通信端末へデジタル情報信号を送信するステップをさらに含むことも可能である。
【００２０】
本発明に準拠するさらに他の方法は、第１の要求信号で指定されたフォーマットオプションに従って、仲介手段においてデジタル情報信号を処理するステップを含むようにしてもよい。さらに、デジタル情報信号を第２の無線通信端末へ送信するステップは、フォーマット済みのデジタル情報信号を第２の無線通信端末へ送信するステップを含むようにしてもよい。
【発明を実施するための最良の形態】
【００２１】
次に、本発明の実施形態を示す添付図面を参照しながら、さらに完全に本発明について説明する。しかしながら、本発明は本明細書の記載に限定されると解釈すべきではない。むしろ、これらの実施形態を提供することによって、本開示を十全かつ完全なものとし、本発明の範囲を当業者に対して十分に伝えることを意図するものである。類似の参照番号は、全体を通して類似の要素を示している。本明細書で使用されているように、「備える（“comprising”又は“comprises”）」という用語はオープンエンドスタイルの語であって、記述した１つ以上の要素、ステップ及び／又は機能のいずれかを含むものであり、１つ以上の記述されていない要素、ステップ及び／又は機能を除外するものではない。本明細書で使用されているように、「及び／又は（and/or）」という用語は、１つ以上の関連付けられ、リストされた項目のうちの任意の、及び、すべての組み合わせを含むものである。本明細書で使用されているように、ラテン語のフレーズ「たとえば（exempli gratia）」に由来する普通の略語「e.g.」を用いて、一般的な例又は前述の項目の例を導入したり、指定したりすることができるが、この略語はそのような項目の限定を意図するものではない。ラテン語のフレーズ「id est（すなわち）」に由来する普通の略語「i.e.」が本明細書で使用されている場合、この略語を用いて、より一般的に列挙したもののなかから特定の項目を指定することができる。
【００２２】
方法及び通信端末を示すブロック図及び／又は動作説明図を参照しながら本発明に準拠する実施形態について説明する。このブロック図及び／又は動作説明図の個々のブロックと、ブロック図及び／又は動作説明図内のブロックとの組み合わせは、無線周波数、アナログ及び／又はデジタルのハードウェア及び／又はプログラム命令によって実現できることを理解されたい。これらのプログラム命令はコントローラへ提供される。このコントローラは、１つ以上の汎用プロセッサ、特殊用途のプロセッサ、ＡＳＩＣ及び／又は他のプログラム可能なデータ処理装置を含むことができ、それによって、コントローラ及び／又は他のプログラム可能なデータ処理装置を介して実行される命令によって、ブロック図及び／又は単複の動作ブロックで指定される機能／動作を実現する手段が生成される。代替の実施構成によっては、上述のブロックで述べたこの機能／動作が動作説明図で述べた順序のなかから行われるものもある。例えば、連続して示される２つのブロックは実際にはほぼ同時に実行することも可能であるし、あるいは、これらのブロックは関係する機能／動作に応答して逆の順序で実行されることも時としてある。
【００２３】
本明細書で使用されているように、「通信端末」という用語は、公衆電話交換網（ＰＳＴＮ）、デジタル加入者回線（ＤＳＬ）、デジタルケーブル、又は、他のデータ接続／ネットワークのような有線接続を介して、及び／又は、例えば、セルラネットワーク、無線ローカルエリアネットワーク（ＷＬＡＮ）及び／又は他の通信端末を用いる無線インタフェースを介して通信信号の受信／送信を行うように構成された端末を含むが、これのみに限定されるわけではない。通信端末が無線インタフェースを介して通信を行うように構成される場合、この端末は、本明細書では「無線通信端末」及び「無線端末」を意味している。無線端末の例としては、セルラ電話機、携帯情報端末（ＰＤＡ）、ページャ、及び／又は、セルラ電話用インタフェース、ブルートゥース用インタフェース、無線ローカルエリアネットワーク用インタフェース（例えば８０２．１１）、他のＲＦ通信用インタフェース及び／又は光／赤外線通信用インタフェースを含むことができる無線通信用インタフェースを介してデータを通信するように構成されたコンピュータが含まれるが、これらに限定されるわけではない。
【００２４】
図１は無線通信システム１００の概略ブロック図であり、この無線通信システム１００には、インタフェース１０６を介して、及び、１つ以上のセルラ基地局１１０ａ−ｂを経由する他の無線通信インタフェース１０８を介して、及び／又は、無線ローカルエリアネットワーク（ＷＬＡＮ）ルータ１１４を経由する他の無線通信インタフェース１１２を介して、相互の間で互いにデータを通信するように構成された２つの無線端末１０２、１０４が含まれる。無線端末１０２、１０４には、表示装置１２０、ユーザインタフェース１２２、カメラ装置１２４、コントローラ１２６、通信モジュール１２８、及びメモリ１２５が含まれる。
【００２５】
カメラ装置１２４は入射光に基づいて静止画像及び／又はビデオデータストリームを生成するように構成される。ユーザインタフェース１２２は、キーパッド、キーボード、タッチパッド、ジョグダイアル及び／又は他のユーザ入力装置を含むことができる。ユーザインタフェース１２２は、マイクへの入射音に応答して音声データストリームを生成するように構成された音声プロセッサと結合されたマイク、並びに、入力音声信号に応答して音を生成するスピーカも含むことができる。通信モジュール１２８は、無線インタフェース１０６、１０８及び／又は１１２のうちの１つ以上の無線インタフェースを介してデータを他の遠隔地の無線端末１０２、１０４へ通信するように構成される。メモリ１２５は、ユーザインタフェース１２２のカメラ装置１２４及び／又はマイクにより生成されるデジタル音声信号及び／又はビデオ信号のようなデジタル情報信号を格納するように構成される。
【００２６】
通信モジュール１２８は、セルラ通信モジュール、ブルートゥースモジュール、及び／又はＷＬＡＮモジュールを含むことができる。セルラ通信モジュールの場合、無線端末１０２、１０４は、例えば、最新型移動電話サービス（ＡＭＰＳ）、ＡＮＳＩ−１３６、モバイル用グローバル規格通信（ＧＳＭ）、汎用パケット無線サービス（ＧＰＲＳ）、次世代ＧＳＭ用拡張型データレート（ＥＤＧＥ）、符号分割多元接続（ＣＤＭＡ）、広帯域ＣＤＭＡ、ＣＤＭＡ２０００、及び汎用移動体通信システム（ＵＭＴＳ）のような１つ以上のセルラ通信プロトコルを用いて、基地局１１０ａ−ｂを介して通信を行うことができる。セルラ基地局１１０ａ−ｂは移動電話交換局オフィス（ＭＴＳＯ）１３０のワイヤレスネットワークと接続され、該ワイヤレスネットワークは、順に、ＰＳＴＮ１３２及び／又は他のネットワークと接続される。ブルートゥースモジュールを用いて、無線端末１０２、１０４は直接インタフェース１０６を経由してアドホックネットワークを介して通信を行うことができる。ＷＬＡＮモジュールの場合、無線端末１０２、１０４は、８０２．１１ａ、８０２．１１ｂ、８０２．１１ｅ、８０２．１１ｇ、８０２．１１ｉを含むことができる通信プロトコルを用いてＷＬＡＮルータ１１４を通して通信を行うことができる。
【００２７】
無線端末１０２、１０４は、相互の間で及び／又は例えばＭＴＳＯ１３０及びＰＳＴＮ１３２及び／又は他のネットワークを経て無線端末１０２、１０４と通信上結合することができる他の通信端末を用いて、デジタルデータ信号の送信及び／又は受信を行うように構成される。
【００２８】
本発明の種々の実施形態に従って、ワイヤレス通信ネットワークにおいてデジタル情報を共有する方法には、受信側無線端末１０４によりアクセスするためのデジタル情報信号を発信側無線端末１０２に格納するステップと、格納済みのデジタル情報信号の存在及び利用可能性を示す通知信号を発信側無線端末１０２から受信側無線端末１０４へ送信するステップと、が含まれる。次いで、受信側無線端末１０４からの要求信号に応答して、発信側無線端末１０２はデジタル情報信号を受信側無線端末１０４へ送信することも可能である。
【００２９】
以下さらに後述するように、発信側無線端末４０２は、受信側無線端末１０４が選択及び／又は要求するオプションに基づいてデジタル情報信号を処理することも可能である。例えば、ビデオデータの場合、発信側無線端末１０２は、ビデオ解像度、ビデオフレームレート、圧縮レート、受信側無線通信端末１０４が送信する指示に基づいて、受信側無線端末へ送信されるビデオの品質を変えることも可能である。したがって、受信側無線端末１０４は、データ量を表示するか否か、及び／又は、データ量をどのように表示するかに基づいて、ビデオデータストリームで用いるデータ量の最適化のために発信側無線端末１０２と調整を行うことが可能であり、それによって無線インタフェース１０６、１０８及び／又は１１２のデータ帯域の利用効率を高めることが可能となる。
【００３０】
フローチャート及び図２、図３及び図４に示す関連付けられた方法を参照しながら、以下例示の実施形態について説明する。図２は、発信側無線端末２０２と受信側無線端末２０４とにおいて実行されるステップ、並びに、本発明のいくつかの実施形態に準拠する発信側無線端末２０２と受信側無線端末２０４との間での種々の信号及び情報の流れを示す流れ図である。上述のように、発信側無線端末２０２と受信側無線端末２０４との間の通信は、ブルートゥース無線ＲＦ接続のような直接インタフェースを介して、又は、ＷＬＡＮ又はセルラベースのシステムを経由するような間接インタフェースを介して行うことも可能である。図２〜図４に起動側及び受信側無線端末間でのメッセージの流れが、概ね水平方向の流れとして示されているのに対して、無線通信端末が行うアクションは縦軸に沿ったボックスにより示されている。
【００３１】
次に図２を参照してわかるように、発信側無線端末２０２はメモリ１２５の中にデジタル情報信号を格納する（ブロック２１０）。デジタル情報信号は、音声、音楽のような音声信号又は他の音声信号、静止画像信号及び／又はビデオデータ信号を含むものであってもよい（このビデオデータ信号は付随するデジタル音声信号を含んでいてもよいし、含んでいなくてもよい）。他のデジタル情報信号も可能である。例えば、適切に構成された無線通信端末であれば、赤外線画像、ＵＶ情報、温度情報、又は他の任意のデジタル情報を示す信号を格納することも可能である。デジタル情報信号は発信側無線端末２０２により生成することも可能である。例えば、デジタル静止画像は、発信側無線端末２０２内の一体型カメラ１２４によって録画することも可能であるし、あるいは、発信側無線端末２０２のユーザインタフェース１２２内の一体型マイクによって音声信号をキャプチャすることも可能である。上記とは別に、デジタル情報信号を発信側無線端末２０２の外側で生成し、発信側無線端末２０２へ通信することも可能である。いずれの場合にせよ、発信側無線端末２０２がメモリ１２５の中にデジタル情報信号を格納するという結果になる。
【００３２】
デジタル情報信号の格納後、発信側無線端末２０２のユーザは、デジタル情報信号の共有を発信側無線端末２０２に指示する配信コマンドを発信側無線端末２０２のコントローラへ送出することができる（ブロック２１１）。発信側無線端末２０２のユーザインタフェースのメニュー選択によって配信コマンドを送出することも可能である。実施形態によっては、「ハードキー」すなわち発信側無線端末２０２の専用キーの操作によって配信コマンドを作成できるものもある。上記とは別に、例えば、「共有」フォルダのような指定された位置にファイルを格納することによって、あるいは、指定されたフラグによりファイルをマークすることによって、共有コマンドを暗黙のうちに送出することも可能である。実施形態によっては、デジタル情報信号を格納する前に配信コマンドを送出するものもある。例えば、発信側無線端末２０２のユーザは、（例えば音声、画像、ビデオなどの）所定の種別の任意のデジタル情報信号を所定の受信者又は受信者のグループと共有できるように発信側無線端末２０２を構成することも可能である。例えば、新しいデジタル静止画像が格納されるときはいつでも、所定のメーリングリストで特定されるすべての無線通信端末１０４へ通知信号が送信されるように発信側無線端末２０２を構成することも可能である。
【００３３】
配信コマンドは、発信側無線端末２０２によって単一の受信者又は受信者のグループと関連付けることも可能である。実施形態によっては発信側無線端末２０２が他の通信端末のアドレスのデータベースを含むものもある。所定の配信コマンドをこのようなアドレスのセット又はサブセットと関連付けて、この配信コマンドが発信側通信端末２０２のユーザにより送出されるとき、アドレスのセット又はサブセットにおいて識別された他のすべての通信端末とデジタル情報信号を共有するように発信側無線端末２０２のコントローラに指示することも可能である。
【００３４】
配信コマンドの受信時に、発信側無線端末２０２は、指定の受信側無線端末２０４（又は受信側無線端末２０４のグループ）へ共有通知信号２１２を送信する。この共有通知信号２１２は、デジタル情報信号が格納されたこと、および、このデジタル情報信号が受信側無線端末２０４による検索に利用できることを受信側無線端末２０４に示す信号である。
【００３５】
共有通知信号２１２は、第２の無線端末２０４のユーザが格納済みのデジタル情報信号を検索するか否かの決定を行うことができるように設計された識別情報及び／又は他の情報を含むものであってもよい。例えば、共有通知信号２１２は、第１の無線端末２０２のユーザの識別子、テキストタイトル及び／又はデジタル情報信号についての説明及び／又はファイルサイズを含むものであってもよい。さらに、共有通知信号２１２は、切捨バージョン及び／又は縮小バージョンのデジタル情報信号を含むものであってもよい。例えば、デジタル情報信号がデジタル静止画像又はデジタルビデオ信号を含む場合、共有通知信号２１２は、小さなサイズ及び／又は低い信号品質を有する「サムネイル」画像を含むものであってもよい。デジタル情報信号が音声信号を含む場合、共有通知信号２１２は（例えば音声信号の最初のｎ秒のような）音声信号から得られる短縮された「クリップ」を含むものであってもよい。音声信号のこの短縮されたクリップを圧縮して、そのサイズを小さくすることも可能である。切捨バージョン及び／又は縮小バージョンのデジタル情報信号は、例えば、デジタル圧縮アルゴリズムを用いてさらに圧縮することも可能である。
【００３６】
さらに、共有通知信号２１２はデジタル情報信号の検索オプションに関する情報を含むものであってもよい。例えば、共有通知信号２１２は、格納済みのデジタル情報信号が、個々のフォーマットに対する推定ファイルサイズ又は実際のファイルサイズと共に、高品質、中間品質又は低品質のフォーマットでの検索に利用できることを示すようにしてもよい。ビデオデータ信号の場合、（例えばフレーム当たりのビデオのライン、画素数及び／又はサイズなどの）ビデオ解像度及び／又はビデオデータストリームを表示するために用いるビデオフレームレートによって信号品質を決定することも可能である。デジタル静止画像の場合、その信号品質は、画像のサイズ、圧縮比、解像度、カラー深度及び／又はその他の特性に依存して決めることができる。デジタル音声信号の場合、信号品質は、サンプリングレート、符号化の種別（例えばμ−ｌａｗ又はＡ−ｌａｗ）、圧縮比等のような信号特性に基づいて決めることができる。
【００３７】
このようなオプションの任意の組み合わせを共有通知信号２１２の中に含めることも可能であることは理解できよう。しかしながら、説明を簡略にするために、及び、処理の容易さを図るために、共有通知信号２１２の中に（高品質、中間品質又は低品質などの）限られた数の選択肢を提供することが望ましい場合もある。上記とは別に、共有通知信号は選択済みの信号特性のうちの１つ以上の信号特性に対する最小範囲と最大範囲とを提供することも可能であり、この範囲に応じて、受信側無線端末２０４は指定範囲の最小値を指定し、そして受信側無線端末２０４が指定した最小値を満たすフォーマットで、発信側無線端末２０２がデジタル情報信号の生成、選択、送信を行うことができるようにすることも可能である。
【００３８】
図２に戻ると、受信側無線端末２０４は、共有通知信号２１２を受信し、受信側無線端末２０４のユーザに対して通知メッセージを表示する（ブロック２１４）。通知メッセージは、デジタル情報信号がダウンロード用として利用可能であることを示すことも可能である。さらに、通知メッセージは、発信側ユーザの識別子と、利用可能な情報信号の種別（例えば画像、音声又はビデオ）とを示すことも可能である。通知メッセージはさらに、利用可能なフォーマット及びこれらフォーマットのそれぞれのファイルサイズ及び／又は転送時間を示すことも可能である。受信側無線端末２０４のユーザがデジタル情報信号の検索を決定した場合には、受信側無線通信端末２０４に対して（例えば適当なキーの押下又はメニュー選択を介して）適当なコマンドが与えられ、これに応答して、受信側無線端末２０４は、所望のデジタル情報信号を識別し、発信側無線端末２０２による信号の送信を要求する要求信号２１６を発信側無線端末２０２へ送信する。
【００３９】
上述のように、要求信号２１６は、共有通知信号の形で提供されるオプションに応じる情報を含むものであってもよい。例えば、この要求信号は（低品質、中間品質又は高品質の）所望の信号品質と、発信側無線端末２０２により指定又はサポートされている他の任意の検索オプションとを示すものであってもよい。
【００４０】
要求信号２１６に応答して、発信側無線端末２０２はデジタル情報信号を処理して（ブロック２２５）、受信側無線端末２０４が指定するオプションに従ってフォーマット済みのデジタル情報信号を提供することも可能である。発信側無線端末２０２は、受信側無線端末２０４が要求信号２１６で要求するフォーマットで及び／又はオプションを用いて、フォーマット済みのデジタル情報信号を受信側無線端末２０４へ送信する（２１８）ことも可能である。次いで、受信側無線端末２０４はユーザに対して信号の表示及び／又は再生を行うことができる（ブロック２２０）。
【００４１】
図３に示す実施形態を参照してわかるように、本発明の実施形態に準拠するシステム３００は、発信側無線端末３０２、受信側無線端末３０４、及び、共有通知と要求とを調整する仲介手段３０５を含むものである。仲介手段３０５は移動電話交換局オフィス１３０内に存在するものであってもよい。上記とは別に、仲介手段３０５はＭＴＳＯ１３０の外部に存在するものであってもよい。例えば、実施形態によっては、仲介手段３０５は、公衆電話交換網１３２を介して、又は、専用の有線接続又は無線接続を介してＭＴＳＯと通信する個別のコンピュータであってもよい。仲介手段３０５は、スタンドアロン型コンピュータサーバであってもよいし、あるいは、多目的コンピュータサーバ内のソフトウェアの中に実装されたものであってもよい。いずれの場合にせよ、この仲介手段は、発信側無線端末３０２と受信側無線端末３０４の双方と通信し、無線端末３０２、３０４の間でデジタル情報信号を共有するプロセスを容易にするように構成することができるものである。実施形態によっては、仲介手段３０５は、この仲介手段３０５が特定のデジタル情報信号の送信及び／又は受信の見積りコストを決定できるように、ＭＴＳＯにおいて課金サーバ（図示せず）と通信を行うことができるものもある。
【００４２】
図３に示すように、発信側無線端末３０２はデジタル情報信号を格納する（ブロック３１０）。デジタル情報信号は音声、音楽のような音声信号又は他の音声信号、静止画像信号及び／又はビデオデータ信号を含むものであってもよい（このビデオデータ信号は付随するデジタル音声信号を含んでいてもよいし、含んでいなくてもよい）。デジタル情報信号は発信側無線端末３０２により生成されたものであってもよい。あるいは、このデジタル情報信号は発信側無線端末３０２の外側で生成することも可能であるし、発信側無線端末３０２へ通信することも可能である。
【００４３】
例えば、発信側無線端末３０２のユーザがメニュー選択又は適当なキーの押下により送出した配信コマンドを受信した（ブロック３１１）後、発信側無線端末３０２は、デジタル情報信号が格納されたこと、及び、第１の共有通知信号３１２で指定された受信側無線端末３０４によって、このデジタル情報信号が検索に利用できることを示す適当な第１の共有通知信号３１２を仲介手段３０５へ送信する。
【００４４】
上述のように、発信側無線端末３０２は、選択済みの受信側無線端末３０４又は選択済みの無線通信端末１０４のグループを特定の種別のデジタル情報信号の格納に基づいて識別する第１の共有通知信号３１２を自動的に送信するように構成することができる。
【００４５】
第１の共有通知信号３１２には、発信側無線端末のユーザが格納済みのデジタル情報信号の存在と利用可能性について通知を行うことを望む旨の、１つ以上の受信側無線端末３０４の識別子が含まれている。
【００４６】
第１の共有通知信号３１２は、受信側無線端末３０４のユーザが格納済みのデジタル情報信号を検索するか否かの決定を行うことができるように設計された識別情報及び／又は別の情報をさらに含むものであってもよい。さらに、第１の共有通知信号３１２は非常に圧縮されたバージョン及び／又は縮小バージョンのデジタル情報信号を含むものであってもよい。例えば、デジタル情報信号がデジタル静止画像又はデジタルビデオ信号を含む場合、第１の共有通知信号３１２は、小さなサイズ及び／又は低い品質を有する「サムネイル」画像を含むことができる。デジタル情報信号が音声信号を含む場合、第１の共有通知信号３１２は、小さなサイズ及び／又は低い品質を有する音声信号から得られる短縮された「クリップ」を含むことができる。
【００４７】
さらに、第１の共有通知信号３１２はデジタル情報信号の検索オプションに関する情報を含むものであってもよい。例えば、図２の実施形態に関連して上述したように、共有通知信号３１２が高品質、中間品質又は低品質のフォーマットでの検索に利用できることを示すようにしてもよい。
【００４８】
図３に戻ると、仲介手段３０５は第２の共有通知信号３１６を生成し、この第２の共有通知信号３１６は、第１の共有通知信号３１２の中に情報を含むものであってもよい。さらに、第２の共有通知信号３１６は、受信側無線端末３０４のユーザが格納済みのデジタル情報信号を検索すべきか否かを決定するのを補助するための追加情報を含むものであってもよい。例えば、仲介手段３０５は、デジタル情報信号の検索に関連付けられる見積りコストを算出（又はＭＴＳＯ内の課金サーバから取得）し、第２の共有通知信号３１６の中にこの見積りコストを含めるようにすることも可能である。したがって、本発明のいくつかの実施形態では、受信側無線端末３０４のユーザは、このような検索に関連付けられるコストに少なくとも部分的に基づいて、デジタル情報信号を検索すべきか否かの決定を行うことが可能となる。
【００４９】
仲介手段３０５からの第２の共有通知信号３１６の受信時に、受信側無線端末３０４は、デジタル情報信号が検索に利用できることを示すユーザへの通知メッセージを表示する（３１８）ことができる（ブロック３１８）。
【００５０】
受信側無線端末３０４のユーザがデジタル情報信号の検索を決定すれば、（例えば適当なキーの押下又はメニュー選択を介して）受信側無線通信端末へ適当なコマンドが与えられ、受信側無線端末３０４はこのコマンドに応答して、所望のデジタル情報信号を識別して、デジタル情報信号の受信を要求する第１の要求信号３２０を仲介手段３０５へ送信する。第１の要求信号３２０は、デジタル情報信号に対してフォーマットオプションを指定することも可能である。
【００５１】
図３には示されていないが、実施形態によっては、第１の要求信号３２０を発信側無線端末３０２へ提供できるものもある。しかし、或る種の状況の下では、受信側無線端末３０４が第１の要求信号３２０を仲介手段３０５へ送信することが望ましい場合もある。例えば、受信側無線端末３０４が第１の要求信号３２０を送信する準備ができているとき、発信側無線端末３０２のスイッチがオフにされたり、あるいは別の事情で通信用として利用できなくなったりする可能性がある。通信用として発信側無線端末３０２を利用できない間、代わりに、第１の要求信号３２０が仲介手段３０５に提供される場合、発信側無線端末３０２が通信用として再び利用できうようになるまで、仲介手段は第１の要求信号３２０を格納することができる。
【００５２】
上述したように、第１および第２の要求信号３２０、３２２は、共有通知信号で提供されるオプションに応答して情報を含むようにすることが可能である。例えば、要求信号は、所望の信号品質（低品質、中間品質又は高品質）及び発信側無線端末３０２により指定又はサポートされている他の任意の検索オプションを示すことができる。
【００５３】
第１の及び／又は第２の要求信号３２０、３２２に応答して、発信側無線端末３０２は、第１の及び／又は第２の要求信号３２０、３２２で受信側無線端末３０４が要求するフォーマットで、及び／又は、オプションを用いてデジタル情報信号を処理して、フォーマット済みのデジタル情報信号を提供し、次いで、このフォーマット済みのデジタル情報信号を受信側無線端末３０４へ送信する（３２４）ことも可能である。次いで、受信側無線端末３０４はユーザに対して信号の表示及び／又は再生を行うことが可能となる（ブロック３２６）。
【００５４】
図４を参照してわかるように、本発明に準拠するさらに他の実施形態がシステム４００として示されている。システム４００では、仲介手段４０５は、未フォーマットの又は部分的にフォーマット済みのデジタル情報信号を発信側無線端末から受信し、そして未フォーマットの又は部分的にフォーマット済みのデジタル情報信号を処理して、受信側無線端末４０４が要求するオプション及び／又は優先順位に従ってフォーマットされた処理済みのデジタル情報信号を提供するように構成される。したがって、図４に示すように、システム４００は、最初は、図３に示すシステム３００の場合と同様に作動する。特に、発信側無線端末４０２はデジタル情報信号を格納する（ブロック４１０）。配信コマンドの受信後（ブロック４１１）、発信側無線端末４０２は適当な第１の共有通知信号４１２を仲介手段４０５へ送信する。第１の共有通知信号４１２は１つ以上の受信側無線端末４０４を指定することも可能である。仲介手段は、発信側無線端末４０２がその後送信する第１の共有通知信号４１２で指定される受信側無線端末４０４へ第２の共有通知信号４１６を送信する。
【００５５】
第２の共有通知信号４１６は、デジタル情報信号の検索オプションに関する情報を含むものであってもよい。例えば、第２の共有通知信号４１６は、図２及び図３の実施形態に関連して上述したように、格納済みのデジタル情報信号が高品質、中間品質又は低品質のフォーマットで検索に利用できることを示すようにしてもよい。いくつかの実施形態に従ってデジタル情報信号が仲介手段４０５により実行される可能性があるので、仲介手段４０５から受信側無線端末４０４へ送信される第２の共有通知信号４１６には、追加のオプション及び／又は発信側無線端末４０２が指定するようなオプションとは異なるオプションが含まれることになる。例えば、仲介手段４０５は、発信側無線端末４０２では許容量の時間内で実行できないような方法でデジタル情報信号の処理を行う能力を備えるようにすることが可能である。
【００５６】
受信側無線端末４０４のユーザがデジタル情報信号の検索を決定すれば、第１の要求４２０が仲介手段４０５へ送信される。上述のように、この第１の要求４２０はデジタル情報信号の検索のためのフォーマット及び／又は他のオプションを指定することも可能である。次いで、仲介手段４０５は発信側無線端末４０２へ第２の要求４２２を送信することができ、この第２の要求４２２に応答して、発信側無線端末４０２は、未フォーマットの又は部分的にフォーマット済みのデジタル情報信号４２４を仲介手段４０５へ送信する。仲介手段４０５は、受信側無線端末４０４が要求信号で要求するフォーマットで及び／又はオプションを用いて、未フォーマットの又は部分的にフォーマット済みのデジタル情報信号４２４を処理して（ブロック４２５）、フォーマット済みのデジタル情報信号を提供し、フォーマット済みのデジタル情報信号４２６を受信側無線端末４０４へ送信する。次いで、受信側無線端末４０４は、ユーザに対して信号の表示及び／又は再生を行うことが可能となる（ブロック４２８）。
【００５７】
図面及び本明細書において本発明の実施形態を開示した。特定の用語を用いたが、これらの用語は一般的かつ説明的な意味合いで専ら用いられたものであって、本発明の範囲を限定することを意図するものではない。本発明の範囲は特許請求の範囲に記載されている。
【図面の簡単な説明】
【００５８】
【図１】本発明のいくつかの実施形態に準拠する無線通信端末及びセルラ通信システムを示す概略ブロック図である。
【図２】プル型デジタル情報配信を用いる本発明のいくつかの実施形態に準拠する処理を示すフローチャートである。
【図３】プル型デジタル情報配信を用いる本発明のいくつかの実施形態に準拠する処理を示すフローチャートである。
【図４】プル型デジタル情報配信を用いる本発明のいくつかの実施形態に準拠する処理を示すフローチャートである。
【図１】
2009505539.tif 000003
【図２】
2009505539.tif 000004
【図３】
2009505539.tif 000005
【図４】
2009505539.tif 000006
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
無線通信端末であって、
メモリと、
無線インタフェースを介して他の通信端末と通信するように構成された無線通信モジュールと、
デジタル情報信号を前記メモリに格納し、前記無線通信端末のユーザから配信コマンドを受信し、前記配信コマンドの受信に応答して、遠隔地に配置されている他の通信端末へ前記無線通信モジュールを介して共有通知信号を送信し、前記他の通信端末からのアクセス要求の受信に応答して、前記デジタル情報信号を前記他の通信端末へ送信するように構成されたコントローラと、
を備え、
前記コントローラは、切捨バージョン及び／又は縮小バージョンのデジタル情報信号を生成し、前記切捨バージョン及び／又は縮小バージョンのデジタル情報信号を前記共有通知信号と共に前記他の無線通信端末へ送信するようにさらに構成されることを特徴とする無線通信端末。
【請求項２】
前記通信端末は、デジタル画像及び／又はデジタルビデオストリームを生成するように構成されたデジタルカメラをさらに備え、
前記コントローラは、生成された前記デジタル画像及び／又はデジタルビデオストリームを前記デジタル情報信号として前記メモリの中に格納することを特徴とする請求項１に記載の無線通信端末。
【請求項３】
前記コントローラは、他の通信端末のアドレスのデータベースをさらに備え、複数のアドレスは所定の配信コマンドに対応しており、
前記コントローラは、前記所定の配信コマンドに対応する配信コマンドに応答して共有通知信号を前記複数のアドレスへ送信するように構成されることを特徴とする請求項１または２に記載の無線通信端末。
【請求項４】
前記アクセス要求は、前記他の通信端末によって要求されたフォーマットを示し、
前記コントローラは、要求されたフォーマットを示す前記アクセス要求に応答して、前記デジタル情報信号をフォーマットするようにさらに構成されることを特徴とする請求項１乃至３の何れか一項に記載の無線通信端末。
【請求項５】
メニュー選択に応答して前記配信コマンドを生成するように構成されたユーザインタフェースをさらに備えることを特徴とする請求項４に記載の無線通信端末。
【請求項６】
キー操作に応答して前記配信コマンドを生成するように構成されたキーをさらに備えることを特徴とする請求項４に記載の無線通信端末。
【請求項７】
前記アクセス要求は、信号要件を示し、
前記コントローラは、要求された信号要件を示す前記アクセス要求に応答して前記デジタル情報信号を処理するようにさらに構成されることを特徴とする請求項１乃至６の何れか一項に記載の無線通信端末。
【請求項８】
指定された要件は、信号サイズ要件、解像度要件、信号品質要件及び／又は符号化要件を示すことを特徴とする請求項７に記載の無線通信端末。
【請求項９】
第１および第２の無線通信端末を含む無線通信ネットワークにおいてデジタル情報を共有する方法であって、
前記第１の無線通信端末の中にデジタル情報信号を格納するステップと、
通知信号を前記第１の無線通信端末から前記第２の無線通信端末へ送信するステップであって、前記通知信号は前記デジタル情報信号の利用可能性を示す、ステップと、
前記第２の無線通信端末からの要求信号を前記第１の無線通信端末において受信するステップと、
前記要求信号に応答して、前記第１の無線通信端末から前記第２の無線通信端末へ前記デジタル情報信号を送信するステップと、
を備え、
前記通知信号は、切捨バージョン及び／又は縮小バージョンのデジタル情報信号を含み、
前記方法は、前記切捨バージョン及び／又は縮小バージョンのデジタル情報信号の表示／再生を前記第２の無線端末において行うステップをさらに含むことを特徴とする方法。
【請求項１０】
前記通知信号は、前記デジタル情報信号をフォーマットするためのオプションを備えることを特徴とする請求項９に記載の方法。
【請求項１１】
前記オプションは、サイズ、信号品質、解像度、圧縮及び／又は符号化を備えることを特徴とする請求項１０に記載の方法。
【請求項１２】
前記要求信号は、前記デジタル情報信号をフォーマットするためのオプション選択を備えることを特徴とする請求項１０または１１に記載の方法。
【請求項１３】
前記要求信号で指定される選択されたフォーマットオプションに従って、前記第１の無線通信端末において前記デジタル情報信号を処理するステップをさらに含み、
前記デジタル情報信号を前記第２の無線通信端末へ送信する前記ステップは、処理された前記デジタル情報信号を前記第２の無線通信端末へ送信するステップを備えることを特徴とする請求項１２に記載の方法。
【請求項１４】
第１および第２の無線通信端末と仲介手段とを含む無線通信ネットワークにおいてデジタル情報を共有する方法であって、
前記第１の無線通信端末からの第１の通知信号を前記仲介手段において受信するステップであって、前記第１の通知信号は前記デジタル情報信号の利用可能性を示し前記第２の無線通信端末のアドレスと切捨バージョン及び／又は縮小バージョンのデジタル情報信号とを含む、ステップと、
前記第１の無線通信端末からの前記第１の通知信号に応答して、前記デジタル情報信号の利用可能性を示し切捨バージョン及び／又は縮小バージョンのデジタル情報信号を含む第２の通知信号を前記仲介手段から前記第２の無線通信端末へ送信するステップと、
前記第２の無線通信端末から第１の要求信号を前記仲介手段において受信するステップと、
前記第１の要求信号の受信に応答して、前記デジタル情報信号の送信を前記第１の無線通信端末に要求する第２の要求信号を前記仲介手段から前記第１の無線通信端末へ送信するステップと、
前記仲介手段において前記第１の無線通信端末から前記デジタル情報信号を受信するステップと、
フォーマットされたデジタル情報信号を提供するために、前記第１の要求信号で指定される選択されたフォーマットオプションに従って、前記仲介手段において前記デジタル情報信号を処理するステップと、
フォーマットされたデジタル情報信号を前記仲介手段から前記第２の無線通信端末へ送信するステップと、
を備えることを特徴とする方法。
【請求項１５】
前記方法は、前記切捨バージョン及び／又は縮小バージョンのデジタル情報信号の表示／再生を前記第２の無線端末において行うステップをさらに備えることを特徴とする請求項１４に記載の方法。
【請求項１６】
前記第１の通知信号は、前記デジタル情報信号をフォーマットするためのオプションを含むことを特徴とする請求項１４または１５に記載の方法。
【請求項１７】
前記第２の通知信号は、前記デジタル情報信号をフォーマットするためのオプションを含むことを特徴とする請求項１４乃至１６の何れか一項に記載の方法。
【請求項１８】
前記第１の要求信号は、前記デジタル情報信号をフォーマットするための選択されたオプションを含むことを特徴とする請求項１４乃至１７の何れか一項に記載の方法。
【国際調査報告】
2009505539.tif 000007
2009505539.tif 000008
2009505539.tif 000009